(57)【特許請求の範囲】
【請求項１】
タッチキーが設けられる操作パネルと、該タッチキーへ接触したことを検知する接触検知手段と、人の動きを検知する人感検知手段と、前記操作パネルを通電状態又は待機状態とし、前記操作パネルが待機状態の場合には、前記接触検知手段を省エネ状態の非検知状態とし、前記人感検知手段が人の動きを検知した場合には、前記操作パネルを前記待機状態から前記通電状態に復帰させる制御手段と、を具備する電気炊飯器であって、
前記制御手段は、前記操作パネルが待機状態であって、前記人感検知手段の周囲温度が設定温度以上となった場合には、前記接触検知手段の非検知状態を解除し、さらに前記タッチキーに接触があった場合には、前記操作パネルを前記待機状態から前記通電状態に復帰させる、
電気炊飯器。
【請求項２】
請求項１に記載の電気炊飯器であって、
前記制御手段は、前記操作パネルが待機状態であって、前記人感検知手段の周囲温度が設定温度以上となった場合には、前記接触検知手段を検知状態とし、さらに該接触検知手段の検知感度を向上させる、
電気炊飯器。
【請求項３】
請求項１又は２に記載の電気炊飯器であって、
通風によって冷却される基板と、該基板の周囲温度を検知する基板温度検知手段と、を備え、
前記人感検知手段の周囲温度は、前記基板温度検知手段によって検知される前記基板の周囲温度とする、
電気炊飯器。
【発明の詳細な説明】
【技術分野】
【０００１】
本発明は、電気炊飯器の技術に関し、より詳細には人感センサーを具備する電気炊飯器の技術に関する。
【背景技術】
【０００２】
電気炊飯器は、米を炊いて飯にするための電気式の調理器具である。電気炊飯器には、電気炊飯器を操作するタッチキー、或いは、電気炊飯器の状態を示す液晶表示パネル等が配置される操作パネルが設けられている。操作パネルは、人が操作しないと予測した場合には、液晶表示パネルのＬＥＤ（Ｌｉｇｈｔ  Ｅｍｉｔｔｉｎｇ  Ｄｉｏｄｅ）が消灯する等の省エネ状態として待機としている（待機状態）。
【０００３】
操作パネルには、タッチキーに人体又は物体が接触したことを検知するタッチ検出コントローラが設けられている。タッチ検出コントローラは、操作パネルが待機状態の場合には、同様に人体又は物体が接触しても検知しない省エネ状態とされている（非検知状態）。
【０００４】
電気炊飯器には、人の動きを検知する人感センサーが設けられているものがある（例えば、特許文献１）。電気炊飯器では、人感センサーを用いて人の動きを検知した場合には、人が操作パネルにて何らかの操作を行うものと予測して、操作パネルを待機状態から通電状態へ復帰させている。
【０００５】
しかし、夏季等に気温が上昇し、電気炊飯器（人感センサー）の周囲温度が人体温度と同等の場合には、人感センサーによって人の動きを検知することが困難である。そこで、タッチキーの入力によって待機状態から通電状態へ復帰させたいところ、タッチ検出コントローラが非検知状態のため、タッチキーの入力検知をすることができない。
【先行技術文献】
【特許文献】
【０００６】
【特許文献１】特開２００９−１２４８９５号公報
【発明の概要】
【発明が解決しようとする課題】
【０００７】
本発明の解決しようとする課題は、人感センサーで検知できない状況であっても、操作パネルのタッチキー入力によって、操作パネルを待機状態から通電状態に復帰させることができる電気炊飯器を提供することである。
【課題を解決するための手段】
【０００８】
本発明の解決しようとする課題は以上の如くであり、次にこの課題を解決するための手段を説明する。
【０００９】
即ち、第一の発明は、タッチキーが設けられる操作パネルと、該タッチキーへ接触したことを検知する接触検知手段と、人の動きを検知する人感検知手段と、前記操作パネルを通電状態又は待機状態とし、前記操作パネルが待機状態の場合には、前記接触検知手段を省エネ状態の非検知状態とし、前記人感検知手段が人の動きを検知した場合には、前記操作パネルを前記待機状態から前記通電状態に復帰させる制御手段と、を具備する電気炊飯器であって、
前記制御手段は、前記操作パネルが待機状態であって、前記人感検知手段の周囲温度が設定温度以上となった場合には、前記接触検知手段の非検知状態を解除し、さらに前記タッチキーに接触があった場合には、前記操作パネルを前記待機状態から前記通電状態に復帰させるものである。
【００１０】
第一の発明によれば、人感センサーで検知できない状況であっても、操作パネルのタッチキー入力によって、操作パネルを待機状態から通電状態に復帰させることができる。
【００１１】
第二の発明は、第一又の発明に係る電気炊飯器であって、前記制御手段は、前記操作パネルが待機状態であって、前記人感検知手段の周囲温度が設定温度以上となった場合には、前記接触検知手段を検知状態とし、さらに該接触検知手段の検知感度を向上させるものである。
【００１２】
第二の発明によれば、人感センサーで検知できない状況であっても、人感センサーの同様の操作感にて、操作パネルを待機状態から通電状態に復帰させることができる。
【００１３】
第三の発明は、第一又は第二の発明に係る電気炊飯器であって、通風によって冷却される基板と、該基板の周囲温度を検知する基板温度検知手段と、を備え、前記人感検知手段の周囲温度は、前記基板温度検知手段によって検知される前記基板の周囲温度とするものである。
【００１４】
第三の発明によれば、人感センサーの周囲温度を既存の基板温度センサーによって検知することによって、新たにセンサーを設けることなく、人感センサーの周囲温度と略同等な温度を検知することができる。
【発明の効果】
【００１５】
本発明の電気炊飯器によれば、人感センサーで検知できない状況であっても、操作パネルのタッチキー入力によって、操作パネルを待機状態から通電状態に復帰させることができる。
【図面の簡単な説明】
【００１６】
【図１】電気炊飯器の構成を示す側面断面図。
【図２】操作パネルの構成を示す平面図。
【図３】電気炊飯器の制御構成を示したブロック図。
【図４】通電モード及びスタンバイモードの作用を示す平面図。
【図５】待機制御の流れを示すフロー図。
【図６】復帰制御の流れを示すフロー図。
【発明を実施するための形態】
【００１７】
図１を用いて、電気炊飯器１００の構成について説明する。
なお、図１では、電気炊飯器１００の構成を側面断面視によって表している。また、以下では、図１の右上に示す上下方向又は前後方向に従って説明するものとする。
【００１８】
電気炊飯器１００は、本発明の電気炊飯器に係る実施形態である。電気炊飯器１００は、米を炊いて飯にするための電気式の調理器具である。電気炊飯器１００は、上側に開口部Ｕを有する炊飯器本体１０と、炊飯器本体１０の上部で開口部Ｕを開閉可能に連結される蓋体２０と、を具備している。
【００１９】
炊飯器本体１０は、外ケース１１と、内鍋１２と、内ケース１３と、ワークコイル１４と、を具備している。外ケース１１は、例えば合成樹脂製であって、炊飯器本体１０を被装している。内鍋１２は、金属鍋或いは土鍋等であって、外ケース１１の内部に着脱自在にセットされ、炊飯器本体１０に収容されている。内ケース１３は、内鍋１２の形状に沿った保護枠であって、内鍋１２の外側に設けられている。
【００２０】
ワークコイル１４は、内鍋１２を誘導加熱するものであって、内ケース１３の底部外面及び底部から側部にかけての湾曲部外面に設けられている。ワークコイル１４は、内ケース１３の底部及び湾曲部の各位置に、内ケース１３の底部中央を中心として同心円状に設けられている。ワークコイル１４が通電されることによって、内鍋１２に渦電流が誘起され、内鍋１２が加熱される。
【００２１】
なお、本実施液形態では、ワークコイル１４によって内鍋１２が加熱される構成としたが、これに限定されない。例えば、電気ヒータによって内鍋１２が加熱される構成であっても良い。
【００２２】
炊飯器本体１０は、制御基板３０と、冷却フィン３３と、冷却ファン３４と、基板温度検知手段としての基板温度センサー５２と、を具備している。制御基板３０、冷却フィン３３、冷却ファン３４及び基板温度センサー５２は、炊飯器本体１０の後方に配置されている。
【００２３】
制御基板３０は、ワークコイル１４等を備えたＩＨ回路と、ＩＨ回路のＩＧＢＴを駆動するＩＧＢＴ駆動回路と、保温ヒータ等を駆動制御するヒータ駆動回路と、電源電圧整流用のダイオードブリッジ及びＣＲ回路よりなる整流平滑回路と、を具備している。
【００２４】
冷却フィン３３は、制御基板３０の回路を構成する発熱素子等を冷却するものである。冷却ファン３４は、冷却フィン３３の近傍を通過する通風経路を形成し、冷却フィン３３の熱を放熱させるものである。基板温度センサー５２は、制御基板３０の周囲温度を検知するものである。基板温度センサー５２は、制御基板３０の近傍であって、冷却ファン３４が形成する通風経路に設けられている。
【００２５】
蓋体２０は、蓋上部材２１と、蓋下部材２２と、操作パネル４０と、を具備している。蓋上部材２１は、樹脂製であって、蓋体２０の外周面を形成している。操作パネル４０は、電気炊飯器１００の操作盤であって、蓋上部材２１の上面の前側に設けられている。操作パネル４０の下方には、操作基板４１が設けられている。操作パネル４０及び操作基板４１について詳しくは後述する。
【００２６】
図２を用いて、操作パネル４０の構成について説明する。
なお、図２（Ａ）では、操作パネル４０の構成を平面視にて表している。また、図２（Ｂ）では、操作パネル４０の構成を側面断面視にて表している。
【００２７】
操作パネル４０は、上述したように、電気炊飯器１００の操作盤であって、蓋上部材２１の上面に設けられている。操作パネル４０は、操作基板４１と、タッチキー４２と、液晶表示パネル４３と、制御手段としての操作コントローラ（以下、コントローラ）５０と、人感検知手段としての人感センサー５１と、傾斜センサー５３と、接触検知手段としてのタッチ検出コントローラ５６と、を具備している。
【００２８】
操作基板４１は、操作パネル４０の下側に設けられ、蓋体２０の内部に収納されている。操作基板４１の表面又は裏面には、複数のタッチキー４２・・・４２、液晶表示パネル４３、人感センサー５１及び傾斜センサー５３及びコントローラ５０が設けられている。
【００２９】
タッチキー４２は、電気炊飯器１００の炊飯／調理／保温の各機能に対するタイマー予約、炊飯メニュー、保温メニュー又は加熱調理メニューの選択、或いは、それら各メニューに対応した加熱量、加熱パターン、保温温度又は保温時間等の選択設定操作を行うものである。
【００３０】
液晶表示パネル４３は、炊飯、調理（例えばパン発酵／焼きなど）、保温の各メニュー、設定された保温温度、設定保温時間、保温経過時間、現在時刻、タイマー炊飯予約時刻、炊飯完了、調理完了までの残時間、又はその他の各種必要事項を表示するものである。液晶表示パネル４３は、ＬＥＤ（Ｌｉｇｈｔ  Ｅｍｉｔｔｉｎｇ  Ｄｉｏｄｅ）によって点灯又は消灯される構成とされている。
【００３１】
コントローラ５０は、操作パネル４０を総合的に制御するものである。人感センサー５１は、人の動きを検知するセンサーであって、赤外線を利用して周囲温度と温度差のあるもの（人）が動いた場合に、温度差のあるものと周囲温度との温度変化を検知するものである。傾斜センサー５３は、蓋体２０の傾斜（蓋体２０が開いている）を検知するものである。
【００３２】
タッチ検出コントローラ５６は、人体又は物体等がタッチキー４２に接触したことを検知するものである。タッチ検出コントローラ５６は、静電容量の変化を検知することによって人体又は物体等が接触したことを検知している。
【００３３】
図３を用いて、電気炊飯器１００の制御構成について説明する。
なお、図３では、電気炊飯器１００の制御構成をブロック図によって表している。
【００３４】
操作基板４１において、コントローラ５０は、タッチキー４２と、液晶表示パネル４３と、人感センサー５１と、傾斜センサー５３と、タッチ検出コントローラ５６と、に接続されている。また、コントローラ５０は、基板温度センサー５２に接続されている。
【００３５】
コントローラ５０は、後述する待機制御Ｓ１００及び復帰制御Ｓ２００を実行する機能を有している。コントローラ５０は、基板温度センサー５２によって検知する基板温度Ｔｋを人感センサー５１の周囲温度として認識する機能を有している。
【００３６】
コントローラ５０は、タッチ検出コントローラ５６を非検知状態としてのウェイトモードとし、人体又は物体等がタッチキー４２に接触しても検知しない省エネ状態とする機能を有している。コントローラ５０は、タッチ検出コントローラ５６の静電容量の変化を検知する閾値を低下させ、タッチ検出コントローラ５６の検知感度を向上させる機能を有している。
【００３７】
コントローラ５０は、傾斜センサー５３がＯＮの場合には、蓋体２０が開いていると判断し、傾斜センサー５３がＯＦＦの場合には、蓋体２０が閉じていると判断する機能を有している。
【００３８】
コントローラ５０は、人感センサー５１がＯＮの場合には、人が操作パネル４０を操作しようとしていると予測し、人感センサー５１がＯＦＦの場合には、人が操作パネル４０を操作しようとしている気配がないと予測する機能を有している。
【００３９】
図４を用いて、通電モード及びスタンバイモードの作用について説明する。
なお、図４（Ａ）では、通電モードの作用を平面視にて模式的に表している。また、図４（Ｂ）では、スタンバイモードの作用を平面視にて模式的に表している。
【００４０】
コントローラ５０は、操作パネル４０を、通電状態としての通電モード、或いは、待機状態としてのスタンバイモードとする機能を有している。コントローラ５０は、操作パネル４０を通電モードからスタンバイモードに「待機」させる、或いは、スタンバイモードから通常モードに「復帰」させる機能を有している。
【００４１】
通電モードでは、液晶表示パネル４３のＬＥＤが点灯し、タッチキー４２の操作が有効となる。一方、スタンバイモードでは、液晶表示パネル４３のＬＥＤが消灯し、タッチ検出コントローラ５６がウェイトモードとなってタッチキー４２の操作が無効となる。つまり、スタンバイモードは、通電モードと比較して、大幅に電力消費を低減できるモードとなる。
【００４２】
図５を用いて、待機制御Ｓ１００の流れについて説明する。
なお、図５では、待機制御Ｓ１００の流れをフローチャートによって表している。
【００４３】
待機制御Ｓ１００は、コントローラ５０が、操作パネル４０を通電モードからスタンバイモードへ待機させる制御である。操作パネル４０は、現在、通電モードの状態として、以下の待機制御Ｓ１００について説明する。
【００４４】
ステップＳ１０１において、コントローラ５０は、人感センサー５１がＯＮ（人が操作パネル４０を操作しようとしている）かどうかを確認し、人感センサー５１がＯＮの場合には再度ステップＳ１０１に移行し、人感センサー５１がＯＦＦの（人が操作パネル４０を操作しようとしている気配がない）場合にはステップＳ１０２に移行する。
【００４５】
ステップＳ１０２において、コントローラ５０は、通電モードが基準時間Ｔｓ（本実施形態では６０秒）経過したかどうかを確認し、通電モードが基準時間Ｔｓ経過した場合にはステップＳ１０３へ移行し、通電モードが基準時間Ｔｓを経過していない場合には再度ステップＳ１０１へ移行する。
【００４６】
ステップＳ１０３において、コントローラ５０は、傾斜センサー５３がＯＮ（蓋体２０が開いている）かどうかを確認し、傾斜センサー５３がＯＮの場合には再度ステップＳ１０１に移行し、傾斜センサー５３がＯＦＦの（蓋体２０が閉じている）場合にはステップＳ１０４に移行する。
【００４７】
ステップＳ１０４において、コントローラ５０は、基板温度Ｔｋが設定温度Ｔ１以上かどうかを確認し、基板温度Ｔｋが設定温度Ｔ１以上の場合には、ステップＳ１０７へ移行し、基板温度Ｔｋが設定温度Ｔ１未満の場合にはステップＳ１０５へ移行する。
【００４８】
ステップＳ１０５において、コントローラ５０は、電気炊飯器１００が待機中（炊飯、保温又はそれらの予約中以外の状態）かどうかを確認し、電気炊飯器１００が待機中の場合には、ステップＳ１０６へ移行し、電気炊飯器１００が待機中ではない場合にはステップＳ１０７へ移行する。
【００４９】
ステップＳ１０６において、コントローラ５０は、タッチ検出コントローラ５６をウェイトモードとする。
【００５０】
ステップＳ１０７において、コントローラ５０は、操作パネル４０を通電モードからスタンバイモードへ待機させる。
【００５１】
図６を用いて、復帰制御Ｓ２００の流れについて説明する。
なお、図６では、復帰制御Ｓ２００の流れをフローチャートによって表している。
【００５２】
復帰制御Ｓ２００は、コントローラ５０が、操作パネル４０をスタンバイモードから通電モードへ復帰させる制御である。操作パネル４０は、現在、スタンバイモードの状態として、以下の復帰制御Ｓ２００について説明する。
【００５３】
ステップＳ２０１において、コントローラ５０は、人感センサー５１がＯＮ（人が操作パネル４０を操作しようとしている）かどうかを確認し、人感センサー５１がＯＮの場合にはステップＳ２０７に移行し、人感センサー５１がＯＦＦの（人が操作パネル４０を操作しようとしている気配がない）場合にはステップＳ２０２に移行する。
【００５４】
ステップＳ２０２において、コントローラ５０は、傾斜センサー５３がＯＮ（蓋体２０が開いている）かどうかを確認し、傾斜センサー５３がＯＮの場合にはステップＳ２０７に移行し、傾斜センサー５３がＯＦＦの（蓋体２０が閉じている）場合にはステップＳ２０３に移行する。
【００５５】
ステップＳ２０３において、コントローラ５０は、基板温度Ｔｋが設定温度Ｔ１以上かどうかを確認し、基板温度Ｔｋが設定温度Ｔ１以上の場合には、ステップＳ２０４へ移行し、基板温度Ｔｋが設定温度Ｔ１未満の場合にはステップＳ２０９へ移行する。
【００５６】
ステップＳ２０４において、コントローラ５０は、タッチ検出コントローラ５６がウェイトモードかどうかを確認し、タッチ検出コントローラ５６がウェイトモードの場合には、ステップＳ２０６へ移行し、タッチ検出コントローラ５６がウェイトモードではない場合にはステップＳ２０５へ移行する。
【００５７】
ステップＳ２０５において、コントローラ５０は、タッチ検出コントローラ５６のウェイトモードを解除する。
【００５８】
ステップＳ２０６において、コントローラ５０は、タッチ検出コントローラ５６の静電容量の変化を検知する閾値を低下させ、タッチ検出コントローラ５６の検知感度を向上させる。さらに、コントローラ５０は、タッチキー４２が入力されたかどうかを確認し、タッチキー４２が入力された場合にはステップＳ２０７へ移行し、タッチキー４２が入力されていない場合には再度ステップＳ２０１へ移行する。
【００５９】
ステップＳ２０７において、コントローラ５０は、タッチ検出コントローラ５６がウェイトモードかどうかを確認し、タッチ検出コントローラ５６がウェイトモードの場合には、ステップＳ２０８へ移行し、タッチ検出コントローラ５６がウェイトモードではない場合にはステップＳ２１２へ移行する。
【００６０】
ステップＳ２０８において、コントローラ５０は、タッチ検出コントローラ５６のウェイトモードを解除する。
【００６１】
ステップＳ２０９において、コントローラ５０は、電気炊飯器１００が待機中（炊飯、保温又はそれらの予約中以外の状態）かどうかを確認し、電気炊飯器１００が待機中の場合には、ステップＳ２１０へ移行し、電気炊飯器１００が待機中ではない場合には再度ステップＳ２０１へ移行する。
【００６２】
ステップＳ２１０において、コントローラ５０は、コントローラ５０は、タッチ検出コントローラ５６がウェイトモードかどうかを確認し、タッチ検出コントローラ５６がウェイトモードの場合には、再度ステップＳ２０１へ移行し、タッチ検出コントローラ５６がウェイトモードではない場合にはステップＳ２１１へ移行する。
【００６３】
ステップＳ２１１において、コントローラ５０は、タッチ検出コントローラ５６をウェイトモードとする。
【００６４】
ステップＳ２１２において、コントローラ５０は、操作パネル４０をスタンバイモードから通電モードへ復帰させる。
【００６５】
電気炊飯器１００の効果について説明する。
電気炊飯器１００によれば、人感センサー５１で検知できない状況であっても、操作パネル４０のタッチキー４２の入力によって、操作パネル４０を待機状態から通電状態に復帰させることができる。
【００６６】
すなわち、人感センサー５１の周囲温度が設定温度Ｔ１以上となった場合には、タッチ検出コントローラのウェイトモードを解除することによって、人感センサー５１で検知できない状況であっても、操作パネル４０のタッチキー４２の入力によって、操作パネル４０を待機状態から通電状態に復帰させることができる。
【００６７】
電気炊飯器１００によれば、人感センサー５１で検知できない状況であっても、タッチ検出コントローラ５６の感度を向上することによって、人感センサー５１の同様の操作感にて、操作パネル４０を待機状態から通電状態に復帰させることができる。
【００６８】
電気炊飯器１００によれば、人感センサー５１の周囲温度を基板温度センサー５２によって検知される基板温度Ｔｋと代替することによって、新たにセンサーを設けることなく、人感センサーの周囲温度と略同等な温度を検知することができる。
【符号の説明】
【００６９】
４０      操作パネル
４２      タッチキー
４３      液晶表示パネル
５０      コントローラ（制御手段）
５１      人感センサー（人感検知手段）
５２      基板温度センサー（基板温度検知手段）
５６      タッチ検出コントローラ
１００    電気炊飯器
Ｔ１      設定温度
Ｔｋ      基板温度
【図１】
0006350130.tif 000002
【図２】
0006350130.tif 000003
【図３】
0006350130.tif 000004
【図４】
0006350130.tif 000005
【図５】
0006350130.tif 000006
【図６】
0006350130.tif 000007